(57)【要約】【課題】インキ組成物の吐出性に十分に優れ、安定的に高輝度の筆記線を描くことが可能な筆記具を提供すること。【解決手段】インキ収容管１４とインキ収容管１４の一端側に設けられたペンチップ２０とを備え、インキ収容管１４内にインキ組成物１２が収容されている筆記具１００であって、インキ組成物１２は、金属粉末とゲル化剤と球状樹脂微粒子とを含有しており、ペンチップ２０におけるボール２６の可動距離が４０μｍ以下である筆記具である。【選択図】図１
2010125841.tif 000002
【特許請求の範囲】
【請求項１】
インキ収容管と、該インキ収容管の一端側に設けられ、ボールを回転可能に保持するペンチップと、を備え、前記インキ収容管にインキ組成物が収容されている筆記具であって、
前記インキ組成物は、金属粉末とゲル化剤と球状樹脂微粒子とを含有しており、
前記ペンチップにおける前記ボールの可動距離が４０μｍ以下である筆記具。
【請求項２】
前記金属粉末の平均粒径が３〜２０μｍである請求項１記載の筆記具。
【請求項３】
前記球状樹脂微粒子の平均粒径が０．０５〜１μｍである請求項１又は２記載の筆記具。
【発明の詳細な説明】
【技術分野】
【０００１】
本発明は、ボールペンなどの筆記具に関する。
【背景技術】
【０００２】
従来から様々な色彩を有する筆記線を描くため、種々の成分を有するインキ組成物を収容する筆記具が知られている。最近では、金属粉末を含有させることによって、メタリックカラーを有するインキ組成物や該インキ組成物を有する筆記具が提案されている（例えば、特許文献１、２）。
【０００３】
このような金属粉末を含有するインキ組成物の場合、固形状の金属粉末を含有しているため、筆記具のペン先部でインキが詰まりやすく、線かすれ等の筆跡不良の問題が生じやすい傾向があった。また、金属粉末を含有するインキ組成物の場合、保管中や使用中に金属粉末が沈降しやすいために、インキ組成物が分離しやすいということも、ペン先部における目詰まりの発生の要因となっていた。
【０００４】
このような点を改善するために、インキ組成物の粘度特性を特定の範囲に規定したり（特許文献１）、インキ組成物に不飽和脂肪酸のアルカリ塩を配合したりすることが提案されている（特許文献２）。
【特許文献１】特開２００７−２９７５１４号公報
【特許文献２】特許第３７８９１９８号公報
【発明の開示】
【発明が解決しようとする課題】
【０００５】
ところが、本発明者らの検討によれば、上述のようにインキ組成物に特定の成分を配合したり所定の性状に調整したりしても、金属粉末を含有するインキ組成物のペン先部における目詰まりを十分に抑制できないことが分かった。
【０００６】
本発明は上記事情に鑑みてなされたものであり、インキ組成物の吐出性に十分に優れ、安定的に高輝度の筆記線を描くことが可能な筆記具を提供することを目的とする。
【課題を解決するための手段】
【０００７】
上記目的を達成すべく、インキ組成物の目詰まりの要因について詳細に検討したところ、ペン先部においてインキ組成物が乾燥し（ドライアップ）、金属粉末の含有量が増加して粘度が上昇することが目詰まりの主な要因となっていることが判明した。
【０００８】
そこで、本発明では、インキ収容管と、該インキ収容管の一端側に設けられ、ボールを回転可能に保持するペンチップと、を備え、インキ収容管にインキ組成物が収容されている筆記具であって、インキ組成物は、金属粉末とゲル化剤と球状樹脂微粒子とを含有しており、ペンチップにおけるボールの可動距離が４０μｍ以下である筆記具を提供する。
【０００９】
本発明によれば、インキ組成物の吐出性に十分に優れ、安定的に高輝度の筆記線を描くことが可能な筆記具を提供することができる。この理由は、以下の通りである。本発明の筆記具は、ペンチップにおけるボールの可動距離が４０μｍ以下であり、従来のメタリックカラー用のペンチップよりも、小さくなっている。このため、ペンチップにおけるクリアランスを十分に小さくすることが可能となり、ペン先部におけるインキ組成物のドライアップを十分に抑制することができる。ここで、単にボールの可動距離を小さくして、クリアランスを小さくした場合、金属粉末を含有するいわゆるメタリックカラーのインキ組成物は、金属粉末同士の摩擦により排出され難くなる。しかしながら、本発明では、インキ組成物に球状樹脂微粒子を含有しているため金属粉末同士の摩擦が軽減され、ペン先におけるインキ組成物の吐出性を良好にすることができる。
【００１０】
すなわち、本発明は、筆記具のペンチップに特定の構造を採用するとともに、インキ組成物に特定の成分を含有させることによって、メタリック色の筆記線を描く筆記具に特有の問題であった目詰まりを十分に抑制することを可能にしている。
【００１１】
本発明では、インキ組成物に含まれる金属粉末の平均粒径が３〜２０μｍであることが好ましい。このような平均粒径を有する金属粉末を含有することによって、インキ組成物中の金属粉末の沈降を一層抑制することが可能となるため、一層吐出性に優れる筆記具とすることができる。
【００１２】
また、本発明では、インキ組成物に含まれる球状樹脂微粒子の平均粒径が０．０５〜１μｍであることが好ましい。これによって、球状樹脂微粒子が金属粉末の表面に付着するため、金属粉末同士の摩擦を一層低減することが可能となる。このため、吐出性に一層優れる筆記具とすることができる。
【発明の効果】
【００１３】
本発明によれば、インキ組成物の吐出性に十分に優れ、安定的に高輝度の筆記線を描くことが可能な筆記具を提供することができる。
【発明を実施するための最良の形態】
【００１４】
以下、場合により図面を参照して、本発明の好適な実施形態について説明する。なお、各図面において、同一または同等の要素には同一の符号を付与し、重複する説明を省略する。また、図面の寸法比率は図示の比率に限られるものではない。
【００１５】
本発明の筆記具の好適な実施形態について以下に説明する。図１は、本発明の好適な実施形態に係るボールペンを示す模式断面図である。図１に示すボールペン１００において、インキ組成物１２はインキ収容管１４内に充填されている。インキ収容管１４の一端にはペンチップ２０が取り付けられている。このペンチップ２０は、ボールホルダー２４及びボールホルダー２４によって回転可能に保持されるボール２６で構成され、ジョイント２５によりインキ収容管１４に固定されている。また、インキ収容管１４内には、ペンチップ２０側と反対側に、インキ組成物１２と隣接した状態で逆流防止体１６が収容されている。ここで、逆流防止体１６は、インキ組成物１２との間に隙間が生じないように配置される。
【００１６】
また、ボールペン１００においては、インキ収容管１４、ペンチップ２０、ジョイント２５、インキ組成物１２及び逆流防止体１６により中芯１０が構成されている。この中芯１０が本体軸１８に装着され、更に本体軸１８の後端（ペンチップ２０と反対側の一端）に通気孔を有する尾栓２８が取り付けられている。
【００１７】
以下、ボールペン１００の構成要素について説明するが、インキ組成物１２とペンチップ２０以外の構成には、通常のボールペンに用いられる一般的な構成を適用することができる。
【００１８】
インキ収容管１４としては、ポリプロピレン、ポリエチレン、ポリエチレンテレフタラート、ナイロン、ポリアセタール、ポリカーボネートなどの樹脂、または、金属からなるものを使用することができる。また、インキ収容管１４の形状は特に制限されず、例えば、円筒状等の形状とすることができる。
【００１９】
逆流防止体１６は、インキ組成物を流出させない機能（流出防止性）や、インキ組成物をドライアップさせない機能（密栓性）等を有するものであり、こうした機能を有する公知の逆流防止体を特に制限なく使用することができる。かかる逆流防止体１６は、例えば、基油と増稠剤とを含んで構成されている。基油としては、鉱油、ポリブテン、シリコン油、グリセリン、ポリアルキレングリコール等が挙げられる。また、増稠剤としては、金属石鹸系増稠剤、有機系増稠剤、無機系増稠剤等が挙げられる。
【００２０】
なお、ペンチップ２０を下方に向けた場合に、逆流防止体１６がインキ組成物１２中に沈降しないように、逆流防止体１６の粘度や、インキ組成物１２と逆流防止体１６との間の比重差を調整することが好ましい。また、逆流防止体１６は、インキ組成物１２と相溶しない組成とすることが好ましい。
【００２１】
本体軸１８及び尾栓２８としては、例えば、ポリプロピレン等のプラスチック材料からなるものを使用することができる。
【００２２】
ジョイント２５としては、例えば、ポリプロピレン、ポリエチレン、ポリエチレンテレフタラート、ナイロン、ポリアセタール、ポリカーボネート等からなるものを使用することができる。
【００２３】
ジョイント２５、並びにペンチップ２０におけるボールホルダー２４及びボール２６の材質としては、通常のボールペンに用いられているものを使用することができる。また、ボール２６の直径は０．３〜１．２ｍｍであることが好ましい。
【００２４】
ボールペン１００は、インキ収容管１４内に、インキ組成物１２が収容されている。このインキ組成物１２は、金属粉末とゲル化剤と球状樹脂微粒子とを含有しているため、ボールペン１００は、高輝度の筆記線を描くことが可能である。
【００２５】
本発明の筆記具に係る別の実施形態を以下に説明する。図２は、本発明に係る別の実施形態に係るボールペンの一部を切り欠いて示す模式図である。ボールペン２００のインキ収容管１４内に収容されるインキ組成物とペンチップ２０以外の構成には、以下に説明する通り、通常のノック式ボールペンに用いられる一般的な構成を適用することができる。
【００２６】
ボールペン２００は、ノック式のボールペンであり、本体軸１８の後端部にクリップ３２を有するとともに、本体軸１８の内部に、中芯１０がバネ３４（コイルスプリング）により後方付勢状態で収容されている。本体軸１８の後端部（ノック操作部３７）を前方へノック操作すると、回転子３９及び中駒３８の作用により、図２の点線に示すように、本体軸１８の先端部に設けられた先端部材２２の孔よりペンチップ２０が外部に突出する。
【００２７】
中芯１０は、先端部にボール２６とボール２６を回転可能に抱持したボールホルダー２４とを有するペンチップ２０と、ペンチップ２０が前部に固着されたジョイント２５と、該ジョイント２５が先端開口部に固着されたインキ収容管１４を有する。インキ収容管１４の後端部と先端部材２２の孔（開口部）は、空気流通路として連通している。また、ペンチップ２０及びジョイント２５の内部には、ボール２６を前方に付勢する弾発部材（図示しない）が収容されている。インキ収容管１４の内部には、ボールペン１００と同様に、インキ組成物とインキ組成物の逆流を防止する逆流防止体とが充填されている。
【００２８】
弾発部材としては、金属細線のスプリングの一端にストレート部（ロッド部）を備えたものや線状プラスチック加工体等、公知のものを用いることができる。
【００２９】
ペンチップ２０のボールホルダー２４に抱持されるボール２６は、超硬合金、ステンレス鋼、ルビー、セラミック等の材質のものを用いることができる。ボール２６の外径は、例えば０．１〜２．０ｍｍとすることができる。
【００３０】
ボールペン２００のインキ収容管１４内には、所定の成分を含有するインキ組成物が収容されている。これによって、ボールペン２００は、良好な吐出性を有しており、高輝度の筆記線を描くことが可能である。
【００３１】
図３は、図１及び図２に示すペンチップ２０の縦断面の一部を拡大して示す模式断面図である。ペンチップ２０のボール保持室４２内に抱持されるボール２６は、非筆記時には図３の実線で示す位置に配置されており、図示しない弾発部材によって、ボールホルダー２４の先端内縁に押し当てられている。
【００３２】
ボールペン筆記時には、ボール２６が紙面等に押し付けられることによって、ボール２６が図３の２点鎖線で示す位置まで後退する。すなわち、ボール２６が、所定の距離Ｈを移動して、ボール受け座４６に押し当てられる。これによって、ボール２６とボールホルダー２４先端内縁との間に所定サイズの隙間（クリアランス）が生じ、インキ通路孔４０から放射溝４８を通過してボール保持室４２に供給されたインキ組成物がペンチップ２０の外部に吐出される。なお、ボール２６とボールホルダー２４の間のクリアランスを測定することは非常に困難であるため、通常はボールの可動距離Ｈによりクリアランスの大きさを比較することができる。
【００３３】
ボールの可動距離Ｈが小さくなるにつれて、ボールペン筆記時におけるクリアランスが小さくなり、ボール保持室４２、インク通路孔４０及び放射溝４８内に存在するインキ組成物のドライアップを抑制することが可能となる。しかしながら、ボール２６の可動距離Ｈが小さくなりすぎると、クリアランスも小さくなって、インキ組成物がペンチップ２０内部に閉塞しやすくなる。
【００３４】
ペンチップ２０のボール２６の可動距離Ｈは、好ましくは１０〜４０μｍであり、より好ましくは２０〜４０μｍであり、さらに好ましくは３０〜４０μｍである。ボール２６の可動距離Ｈが２０μｍ未満であると、粒径が大きい金属粉末を含むインキ組成物を用いた場合に閉塞し易くなる傾向があり、ボール２６の可動距離Ｈが４０μｍを超えると、ペンチップ２０内のインキ組成物が乾燥し易くなって、初期かすれが発生する。
【００３５】
上記実施形態のボールペン１００，２００は、インキ収容管に上述の組成を有するインキ組成物を収容するとともに、ボール２６の可動距離Ｈが４０μｍ以下であるペンチップを備えているため、筆記時にインキ組成物がボール２６とボールホルダー２４との間に閉塞するのを十分に抑制しつつ、チップ先端部におけるドライアップを十分に抑制することができる。このため、安定的に高輝度のメタリックカラーの筆記線を描くことができる。
【００３６】
上述した構成を有する各実施形態のボールペン１００，２００は、通常のボールペン等の製造方法により製造することができる。
【００３７】
次に、ボールペン１００，２００のインキ収容管１４内に収容されるインキ組成物について以下に説明する。ボールペン１００，２００に用いられるインキ組成物は、金属粉末とゲル化剤と球状樹脂微粒子とその他の任意成分とを含有するゲルインクである。以下、各成分の詳細について説明する。
【００３８】
［金属粉末］
金属粉末としては、金属光沢を有する通常の筆記具用インキ組成物に配合されるものを用いることができる。例えば、アルミニウム粉末やブロンズ粉末等を用いることができる。
【００３９】
金属粉末の平均粒径は、好ましくは３〜２０μｍであり、より好ましくは３〜１０μｍである。金属粉末の平均粒径が２０μｍを超えると、ペン先でインキ組成物が詰まり易くなる傾向があり、３μｍ未満となると、筆記線の金属光沢が損なわれて、所望の色彩が得られ難くなる傾向がある。なお、本明細書における平均粒径は、市販の測定装置を用いて、レーザー回折散乱法により測定される値であり、体積基準粒径分布における５０％径であるＤ５０として求めることができる。
【００４０】
金属粉末の形状は、鱗片状であることが好ましい。これによって、優れた金属光沢を有する筆記線を描くことが可能となる。
【００４１】
金属粉末の配合量は、インキ組成物全体を１００質量部とした場合に、好ましくは１〜１０質量部であり、より好ましくは２〜７質量部である。該配合量が１０質量部を超えると、インキ組成物中の固形分の濃度が高くなり過ぎて、ペン先で詰まり易くなる傾向がある。一方、該配合量が１質量部未満であると、十分な金属光沢を有するインキ筆記線を描くことが困難となる傾向がある。
【００４２】
優れた金属光沢を有する観点から、金属粉末はアルミニウム粉末であることが好ましい。インキ組成物配合の際には、金属粉末源として、金属粉末と石油系溶剤と脂肪酸などの減摩剤とを含有する市販の金属ペーストを用いてもよい。
【００４３】
［球状樹脂微粒子］
球状樹脂微粒子としては、着色されたものでもよく、例えば市販の球状樹脂微粒子を用いることができる。材質は特に限定されず、例えば、アクリル樹脂、スチレン・アクリル共重合体、又はポリオレフィン等を含有する球状樹脂微粒子を用いることができる。また、球状樹脂微粒子は、粉体や水分散体であってもよい。市販の球状樹脂微粒子としては、ルミコール（商品名、日本蛍光化学社製）、ケミパール（商品名、三井化学社製）、ファインスフェア（商品名、日本ペイント株式会社製）などを用いることができる。
【００４４】
球状樹脂微粒子の平均粒径は、好ましくは０．０５〜１μｍであり、より好ましくは０．１〜０．５μｍである。該平均粒径が１μｍを超えると、球状樹脂微粒子自体が沈降し易くなって、十分優れた経時安定性が損なわれる傾向があり、０．０５μｍ未満であると、金属粉体を分散させる効果が損なわれて、筆記線のムラが生じやすくなる傾向がある。この平均粒径は、市販の測定装置を用いて、レーザー回折散乱法により測定される値であり、体積基準粒径分布における５０％径であるＤ５０として求めることができる。
【００４５】
球状樹脂微粒子の形状は、球状であるため、金属粉末の金属粒子間に入り込んで金属粒子同士の密着を抑制することが可能となり、金属粒子同士の摩擦が低減されて吐出性に優れるインキ組成物とすることができる。
【００４６】
また、インキ組成物に球状樹脂微粒子を含有させることによって、インキ組成物のせん断減粘性も向上させることができる。球状樹脂微粒子の配合量は、インキ組成物全体を１００質量部とした場合に、好ましくは２〜４０質量部であり、より好ましくは５〜３０質量部である。該配合量が４０質量部を超えると、インキ組成物中の固形分の濃度が高くなり過ぎて、ペン先で詰まり易くなる傾向がある。一方、該配合量が２質量部未満であると、金属粉末を分散させる効果が損なわれて、筆記線のムラが生じやすくなる傾向がある。
【００４７】
［ゲル化剤］
ゲル化剤は、通常のボールペン用水性ゲルインクに採用されるものであれば特に限定されない。ゲル化剤としては、例えば、天然系−キサンタンガム、グァーガム、ローカストビーンガム、カラギーナン、アラビアガム、トラガカンドガム、アルギン酸、ゼラチン、寒天、カゼイン、サイリウムシートガム、タマリンドシートガム、合成系−メチルセルロース、エチルセルロース、ヒドロキシエチルセルロース、カルボキシメチルセルロース、カルボキシメチルセルロースナトリウム、アルギン酸ナトリウム、ポリビニルピロリドン、ポリビニルアルコール、ポリビニルメチルエーテル、ポリアクリル酸ナトリウム、カルボキシビニルポリマーなどが挙げられる。これらは１種を単独で又は２種以上を組み合わせて用いられる。
【００４８】
ゲル化剤の配合量は、インキ組成物全体を１００質量部とした場合に、好ましくは０．１〜３質量部であり、より好ましくは０．２〜１質量部である。該配合量が３質量部を超えると、インキ組成物の粘度が高くなり過ぎて、ペン先で詰まり易くなる傾向がある。一方、該配合量が０．１質量部未満であると、インキ組成物の粘度が低くなり過ぎて、金属粉末の十分な分散性が損なわれる傾向がある。
【００４９】
本実施形態のインキ組成物は、上述の成分に加えて、防錆剤、防腐剤（防黴剤）、潤滑剤、保湿剤、ｐＨ調整剤等を含有してもよい。防錆剤としては、ベンゾトリアゾール及びその誘導体、トリルトリアゾール、ジシクロヘキシルアンモニウムナイトライト、ジイソプロピルアンモニウムナイトライト、チオ硫酸ナトリウム、エチレンジアミン四酢酸塩、リン酸オクチル、イミダゾール、ベンゾイミダゾール、サポニン、ジアルキルチオ尿素等を用いることができる。防錆剤の配合量は、インキ組成物全体を１００質量部とした場合に、好ましくは０．３〜５質量部であり、より好ましくは０．５〜３質量部である。
【００５０】
防腐剤（防黴剤）としては、石炭酸、１、２−ベンズイソチアゾリン−３−オンのナトリウム塩、安息香酸ナトリウム、デヒドロ酢酸ナトリウム、ソルビン酸カリウム、パラオキシ安息香酸プロピル、２，３，５，６−テトラクロロ−４−（メチルスルフォニル）ピリジン等を用いることができる。防腐剤の配合量は、インキ組成物全体を１００質量部とした場合に、好ましくは０．１〜５質量部であり、より好ましくは０．１〜１質量部である。
【００５１】
潤滑剤としては、オレイン酸等の高級脂肪酸、長鎖アルキル基を有するノニオン性界面活性剤、ポリエーテル変性シリコーンオイル、チオ亜燐酸トリ（アルコキシカルボニルメチルエステル）やチオ亜燐酸トリ（アルコキシカルボニルエチルエステル）等のチオ亜燐酸トリエステル、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、或いは、それらの金属塩、アンモニウム塩、アミン塩、アルカノールアミン塩等を用いることができる。潤滑剤の配合量は、インキ組成物全体を１００質量部とした場合に、好ましくは０．３〜５質量部であり、より好ましくは０．５〜３質量部である。
【００５２】
保湿剤としては、エチレングリコール、ジエチレングリコール、トリエチレングリコール、ポリエチレングリコール、プロピレングリコール、エチレングリコールモノメチルエーテル、グリセリン、ピロリドン、尿素、チオ尿素、エチレン尿素、ソルビット、マンニット、ショ糖、ぶどう糖、還元デンプン加水分解物、ピロリン酸ナトリウム等を用いることができる。保湿剤の配合量は、インキ組成物全体を１００質量部とした場合に、好ましくは１〜３０質量部であり、より好ましくは５〜２０質量部である。
【００５３】
本実施形態のインキ組成物は、その他に、溶剤の浸透性を向上させるフッ素系界面活性剤やノニオン系界面活性剤、アニオン系界面活性剤、カチオン系界面活性剤、ジメチルポリシロキサン等の消泡剤、ｐＨ調整剤、水を含んでいてもよい。
【００５４】
ｐＨ調整剤としては、炭酸ナトリウム、リン酸ナトリウム、水酸化ナトリウム、酢酸ソーダ等の無機塩類、トリエタノールアミンやジエタノールアミン等の水溶性のアミン化合物等の有機塩基性化合物等を用いることができる。水の配合量は、インキ組成物全体を１００質量部とした場合に、好ましくは２０〜６０質量部であり、より好ましくは４０〜６０質量部である。
【００５５】
本実施形態のインキ組成物は、上述の各成分を、例えば、ディゾルバー、ヘンシェルミキサー、ホモミキサーなどの攪拌機を用いて混合して製造することができる。攪拌機の攪拌条件は特に制限されないが、例えばディゾルバー攪拌機を用いて、回転数１００〜１０００ｒｐｍで３０〜１８０分間攪拌することにより、金属粉末が十分に均一に分散したインキ組成物を得ることができる。
【００５６】
以上、本発明のボールペンの好適な実施形態について説明したが、本発明は上記実施形態に限定されるものではない。例えば、上記実施形態のボールペンは、本体軸１８を有していなくてもよく、インキ収容管１４がそのまま本体軸となっていてもよい。更に、上記実施形態のボールペンは、インキ収容管１４中のインキ組成物及び逆流防止体が後端（ペンチップ２０と反対側の一端）側から加圧された状態となるような加圧機構を有するものであってもよい。また、上記実施形態のボールペンは、逆流防止体１６を有していなくてもよい。
【実施例】
【００５７】
以下、実施例及び比較例に基づいて本発明をより具体的に説明するが、本発明は以下の
実施例に限定されるものではない。
【００５８】
（実施例１〜５及び比較例１〜３）
下記表１に示す各原材料を同表に示す配合量（質量％）で配合し、ディゾルバー攪拌機を用いて、室温（２５℃）、回転数３００ｒｐｍの条件で３時間攪拌した。これによって、実施例１〜５及び比較例１〜３のインキ組成物を得た。
【００５９】
なお、表１中の各原材料の詳細は以下の通りである。
・球状樹脂微粒子：（日本蛍光（株）製、商品名：ルミコールＮＫＷ−７５Ｅ、球状樹脂微粒子含有量５０質量％、水分散体）。
・保湿剤：日油（株）製、商品名：グリセリンＲＧ。
・樹脂：星光化学工業（株）製、商品名：ハイロスＸ  Ｘ−１２。
・防錆剤：キレスト社製、商品名：コロミンＣＢ。
・防腐剤：日本エンバイロケミカルズ社製、商品名：スラウト９９Ｎ。
・潤滑剤：第一工業製薬（株）製、商品名：プライサーフＡ−２０８Ｓ。
・ゲル化剤：キサンタンガム（大日本住友製薬（株）製、商品名：エコーガムＴ６３０）。
・アルミニウムぺースト１：昭和アルミパウダー（株）製、商品名：ＳＡＰ  ＣＳ４３０ＳＷ、Ａｌ含有量：６５質量％、Ａｌ平均粒径９μｍ。
・アルミニウムぺースト２：昭和アルミパウダー（株）製、商品名：ＳＡＰ  ＣＳ４６０ＳＷ、Ａｌ含有量：６５質量％、Ａｌ平均粒径１４μｍ。
・アルミニウムぺースト３：昭和アルミパウダー（株）製、商品名：ＳＡＰ  ＦＭ４０１０ＳＷ、Ａｌ含有量：６５質量％、Ａｌ平均粒径１１μｍ。
【００６０】
図１及び図３に示す構造を備え、ボール２６の可動距離Ｈが異なるペンチップを有する３種類のボールペン構造体を複数作製した。各実施例及び各比較例のインキ組成物を、作製したボールペン構造体のインキ収容管（内径４．０ｍｍ）にそれぞれ充填してボールペンを作製した。
【００６１】
［吐出性の評価］
上記の通り作製した各ボールペンを用いて紙面上に文字を筆記して、インキ組成物の吐出性を以下の基準で評価した。結果を表１に示す。
Ａ：極めて良好にインキ組成物が排出される。
Ｂ：若干、インクの排出にムラがある。
Ｃ：筆記かすれが生じる。
Ｄ：インク出がさらに悪く、ひどくかすれが生じる。
【００６２】
【表１】
2010125841.tif 000003
【００６３】
（実施例６〜８、比較例４）
上述の実施例１で用いたインキ組成物を、実施例１で用いたボールペンと同様の構成を有し、表２に示すボール可動距離を有するボールペンのインキ収容管にそれぞれ充填した。
【００６４】
［耐ドライアップ性の評価］
インキ組成物を収容したボールペンを、ペン先が外気に露出した状態で、恒温槽中、５０℃で１週間保存した。その後、それらのボールペンを用いて紙面上に文字とループを筆記し、耐ドライアップ性を以下の基準で評価した。結果を表２に示す。
Ａ：文字及びループの両方を、良好に筆記することができる。
Ｂ：文字は良好に筆記することができたが、ループには若干かすれが生じる。
Ｃ：文字及びループの両方において、かすれが生じる。
【００６５】
【表２】
2010125841.tif 000004
【００６６】
表１及び表２に示す結果から、金属粉末とゲル化剤と球状樹脂微粒子とを含有し、ボール可動距離が４０μｍ以下であるボールペンは、吐出性に優れることが確認された（実施例１〜５）。また、そのようなボールペンは、ペンチップ先端におけるドライアップが十分に抑制されており、安定的に高輝度の筆記線を描くことが可能であることが確認された（実施例６〜８）。
【図面の簡単な説明】
【００６７】
【図１】本発明の好適な実施形態に係るボールペンを示す模式断面図である。
【図２】本発明の別の実施形態に係るボールペンの一部を切り欠いて示す模式図である。
【図３】図１及び図２に示すペンチップ２０の縦断面の一部を拡大して示す模式断面図である。
【符号の説明】
【００６８】
１０…中芯、１２…インキ組成物、１４…インキ収容管、１６…逆流防止体、１８…本体軸、２０…ペンチップ、２２…先端部材、２４…ボールホルダー、２５…ジョイント、２６…ボール、２８…尾栓、３２…クリップ、３４…バネ、３７…ノック操作部、３８…中駒、３９…回転子、４０…インキ通路孔、４２…ボール保持室、４８…放射溝、１００，２００…ボールペン。
【図１】
2010125841.tif 000005
【図２】
2010125841.tif 000006
【図３】
2010125841.tif 000007